(57)【要約】  容器を密封する蓋部２ａと共に、糞便を採取するための採便棒２ｂを有する蓋体２と、先端側にフィルタ保持部３ａを介して形成された液溜り３ｂを有し、基端側が開口する筒状の容器本体３と、容器本体３の基端側から容器本体３内に挿入される中栓４とを備え、中栓４の先端部が長手方向に直交する底面４ａを有すると共に、底面４ａの中央に採便棒２ｂが挿通可能な擦り切り部４ｂを有し、擦り切り部４ｂの周囲に放射状に配置された複数の傾斜リブ４ｃからなる採便棒案内部を形成する。これにより、容器本体の先端側に液溜まりが形成された採便容器において、採便棒に付着した余分な糞便を取り除くための擦り切り部を容器本体の内部に装着した中栓に形成するにあたり、擦り切り部への採便棒の挿通性を損なうことなく、検査時の液溜まりを上にしたときの容器本体内の懸濁液の液位の低下を抑止することができる。
2015029369.tif 000002
【特許請求の範囲】
【請求項１】
容器を密封すると共に、糞便を採取する採便棒を有する蓋体と、
先端側にフィルタ保持部を介して形成された液溜りを有し、基端側が開口する筒状の容器本体と、
前記容器本体の基端側から前記容器本体内に装着される中栓と、を備え、
前記中栓の先端部が長手方向に直交する底面を有すると共に、前記底面の中央には前記採便棒が挿通可能な擦り切り部を有し、
前記擦り切り部の周囲に放射状に配置された複数の傾斜リブからなる採便棒案内部を形成したことを特徴とする採便容器。
【請求項２】
前記容器本体の基端側の開口部の端縁に沿ってフランジ部を形成すると共に、前記中栓の外周面の所定位置の周方向に沿って張り出し部を形成し、
前記フランジ部又は前記張り出し部の少なくとも一方の周縁から突出する凸部を形成した請求項１に記載の採便容器。
【発明の詳細な説明】
【技術分野】
【０００１】
本発明は、糞便検査に際して糞便を採取する採便容器に関する。
【背景技術】
【０００２】
従来、糞便検査（検便）に際して糞便を採取する採便容器として、種々の形態の採便容器が提案されているが、その多くのものは、先端に螺旋状溝を設けた採便棒を有する蓋体と、保存溶液が収容された容器本体とを備えている（例えば、特許文献１等参照）。【０００３】
この種の採便容器にあっては、糞便を採取するにあたり、蓋体を取り外して、採便棒を糞便に突き刺す等して先端に設けた螺旋溝に糞便を掻き取った後に、採便棒を容器内に戻して蓋をすることによって、容器本体に収容された保存溶液に採取した糞便を懸濁させるようになっている。そして、このようにして採取された糞便は、その懸濁液を濾過して検査に供されるが、良好な検査がなされるには、保存溶液に懸濁させた糞便の量が多過ぎたり、少な過ぎたりしないようにして、一定の量の糞便を保存溶液に懸濁させることが求められる。【０００４】
このため、多くの採便容器にあっては、糞便が付着した採便棒を容器本体内に戻す際に、容器本体の内部に隔壁を設ける等して形成された擦り切り部に採便棒を挿通して余分な糞便を取り除くようにしてあり、これによって、一定量の糞便が採取できるようにしてある。
【先行技術文献】
【特許文献】
【０００５】
【特許文献１】特開平７−１２８０８号公報
【発明の概要】
【発明が解決しようとする課題】
【０００６】
ここで、本発明を完成する過程で本発明者らが発案した採便容器を参考例として図９に示す。
かかる採便容器１０１は、自動検査装置に適するように設計したものであり、先端側にフィルタ保持部１０３ａを介して形成された液溜まり１０３ｂを有している。そして、液溜まり１０３ｂを上にして検査装置に装着し、容器をスクイズして糞便を懸濁させた懸濁液をフィルタ１０５で濾過し、その濾液を液溜まり１０３ｂに供給して溜め、液溜まり１０３ｂに溜まった濾液を検査装置内に取り込むことができるようになっている。【０００７】
しかしながら、本発明者らが検討を重ねたところ、図９に示す採便容器にあっては、検査装置に取り込まれる液溜まり１０３ｂの濾液の量が不足して検査に支障をきたす場合があるという知見を得るに至った。
かかる知見に基づいて、本発明者らが、さらなる検討を重ねたところ、採便棒１０２ｂに付着した余分な糞便を取り除くために設けた中栓１０４の先端部の擦り切り部１０４ｂを、採便棒１０２ｂが挿通し易くなるように円錐状に形成すると、前述した検査の支障の原因になると想到するに至った。すなわち、本発明者らは、擦り切り部１０４ｂをこのような形状にすると、液溜まり１０３ｂを上にして検査装置内に設置したときに、図９中、斜線で示す擦り切り部１０４ｂの周囲に懸濁液が回り込んで容器内の懸濁液の液位が下がることに着目した。そして、これが検査時に容器本体をスクイズした際に、液溜まり１０３ｂに十分な量の濾液を供給することができないため検査に支障をきたすことを見出した。【０００８】
本発明は、上記の事情に鑑みてなされたものであり、容器本体の先端側に液溜まりが形成された採便容器において、採便棒に付着した余分な糞便を取り除くために、容器本体内に装着する中栓に擦り切り部を形成するにあたり、擦り切り部への採便棒の挿通性を損なうことなく、検査時の容器本体内の懸濁液の液位の低下を抑止することができる採便容器の提供を目的とする。
【課題を解決するための手段】
【０００９】
本発明に係る採便容器は、容器内を密封する蓋部とともに、糞便を採取するための採便棒を有する蓋体と、先端側にフィルタ保持部を介して形成された液溜りを有し、基端側が開口する筒状の容器本体と、前記容器本体の基端側から前記容器本体内に装着される中栓と、を備え、前記中栓が長手方向に直交する底面を有するとともに、前記底面の中央には前記採便棒が挿通可能な擦り切り部を形成し、前記擦り切り部の周りに放射状に配置された複数の傾斜リブからなる採便棒案内部を形成した構成としてある。
【発明の効果】
【００１０】
本発明によれば、容器本体の先端側に液溜まりが形成された採便容器において、採便棒に付着した余分な糞便を取り除くために、容器本体内に装着する中栓に擦り切り部を形成するにあたり、擦り切り部への採便棒の挿通性を損なうことなく、検査時の容器本体内の懸濁液の液位の低下を抑止することができる。
【図面の簡単な説明】
【００１１】
【図１】本発明の実施形態に係る採便容器を示す説明図であり、（ａ）は平面図、（ｂ）は正面図である。
【図２】図１（ａ）のＡ−Ａ断面図である。
【図３】本発明の実施形態に係る採便容器が備える蓋体の一例を示す説明図である。
【図４】図３のＢ−Ｂ断面図である。
【図５】本発明の実施形態に係る採便容器が備える中栓の一例を示す説明図であり、（ａ）は平面図、（ｂ）は正面図、（ｃ）は底面図である。
【図６】図５（ａ）のＣ−Ｃ断面図である。
【図７】図６のＤ−Ｄ断面図である。
【図８】本発明の実施形態に係る採便容器において蓋体を容器本体に戻す操作を説明する説明図である。
【図９】採便容器の参考例を示す説明図である。
【発明を実施するための形態】
【００１２】
以下、本発明の好ましい実施形態について、図面を参照しつつ説明する。
【００１３】
本実施形態の採便容器１は、糞便検査に際して糞便を採取するためのものであり、図１及び図２に示すように、容器を密封する蓋体２と、保存溶液が収容される筒状の容器本体３と、容器本体３内に装着される中栓４とを備えている。採便容器１を構成するこれらの部材は、例えば、蓋体２はポリプロピレン等、容器本体３、中栓４はポリプロピレン，ポリエチレン等の熱可塑性樹脂を用いて、射出成形等により製造することができる。
【００１４】
図３及び図４に示すように、採便容器１の蓋体２は、容器を密封する蓋部２ａと共に、糞便を採取するための採便棒２ｂを有している。採便棒２ｂの先端側には螺旋状に刻設された螺旋状溝２ｃが形成されており、採便棒２ｂにより糞便を採取するには、蓋体２を容器本体３内に装着した中栓４から取り外して、採便棒２ｂを糞便に突き刺す等して螺旋状溝２ｃで掻き取るようにして糞便を採取する。そして、糞便を採取した後は、蓋体２を再び前記器中栓４に装着して採便棒２ｂを容器内に戻し、容器本体１に収容された保存溶液に採取された糞便を懸濁させる。
【００１５】
尚、本実施形態では、採便棒２ｂ先端側に螺旋状溝２ｃを形成しているが、糞便を確実に採取できるものであれば、これに限定されない。例えば、軸方向と直交し、採便棒２ｂの先端側を周回する溝を設けることも可能である。その他、各種形状の凹部や貫通孔を一つ以上設けてもよい。糞便の性状は固形便、軟便、液状便等様々なので、これらの糞便を採取するために各種の採便器具が考案されている。
さらに、採便容器１の蓋体２は、蓋部２ａの内周面に条設された螺条と、容器本体３内に装着した中栓４の外周面に条設された螺条とにより、螺着によって装着されて容器を密封するようにしてあるが、蓋体２の装着手段はこれに限定されない。容器を密封することができれば、例えば、特に図示しないが、中栓４の外周面に周方向に沿って形成した環状凸部と、蓋部２ａの内周面に周方向に沿って形成した環状凸部との係合、或いは何れか一方を環状凹部として嵌合によって蓋体２を装着するようにしてもよい。
【００１６】
また、蓋体２を容器に装着したときの密封性をより良好なものとするには、図示するように、中栓４の端縁に当接する突部２ｄを、蓋部２ａの内面に環状に形成するのも有効である。
【００１７】
このような蓋体２は、射出成形により蓋部２ａと採便棒２ｂとを一体に成形するのが好ましいが、これらは別体に成形するようにしてもよい。蓋部２ａによって容器を密封することができると共に、糞便に突き刺すことができる程度の硬さを採便棒２ｂが有していれば、蓋体２の具体的な構成は特に限定されない。
また、採便棒２ｂに付着した糞便の視認性を高めるために、採便棒２ｂを白色乃至淡色の明度の高い色で着色することが好ましい。特に、糞便の色（褐色乃至黄褐色）の補色に近い淡緑色に着色することがより好ましい。
【００１８】
また、図２に示すように、容器本体３は、先端側にフィルタ保持部３ａを介して形成された液溜り３ｂを有しており、フィルタ保持部３ａには、フィルタ５が保持されるようになっている。一方、容器本体３の基端側は、容器本体３内に中栓４を装着できるように開口しており、容器本体３内に中栓４を装着したときに、容器本体３の内周面と中栓４の外周面とが液密に密着して、容器本体３に収容された保存溶液が漏れ出さないようになっている。
【００１９】
フィルタ５は、糞便検査の妨げとなる未消化の固形分を濾過することができ、検査対象に対して不活性のものであれば、その素材は特に限定されない。例えば、モルトフィルタ、濾紙、樹脂焼結フィルタ等の多孔性物質、グラスウール、脱脂綿等の繊維性物質等が挙げられ、所定の細孔径を有するモルトフィルタ、樹脂焼結フィルタを用いるのが好ましい。このようなフィルタは、一種から成るものであってもよく、二種以上のフィルタを積層することによって形成されたものであってもよい。
【００２０】
本実施形態において、図２、図５、図６及び図８に示すように、容器本体３内に装着する中栓４の先端部は、長手方向に直交する底面４ａを有すると共に、底面４ａの中央には、蓋体２が有する採便棒２ｂが挿通可能な擦り切り部４ｂが形成されている。かかる擦り切り部４ｂは、糞便を採取した糞便棒を容器内に戻す際に（図８参照）、採便棒２ｂに付着した余分な糞便を取り除くためのものであり、本実施形態の採便容器では、底面４ａの中央に開口する筒状の部位として形成されている。擦り切り部４ｂは、擦り切り部４ｂの内周面に採便棒２ｂが液密に密着して、採便棒２ｂが擦り切り部４ｂの内周面を摺動する際に余分な糞便が取り除かれるように形成され、これによって、螺旋状溝２ｃを埋める一定量の糞便を、容器本体３に収容された保存溶液に懸濁させることができる。
【００２１】
また、本実施形態では、糞便を採取した採便棒２ｂを容器内に戻す際に、採便棒２ｂが擦り切り部４ｂを容易に挿通できるようにするため、擦り切り部４ｂの周囲には、放射状に配置された複数の傾斜リブ４ｃからなる採便棒案内部が形成されている。
尚、この傾斜リブ４ｃは、採便棒２ｂの擦り切り部４ｂへの案内を安定させるため、等間隔に複数形成するのが好ましい（図５ｃ、図７参照）。
【００２２】
図２、図６及び図８に示すように、本実施形態の採便容器１において、傾斜リブ４ｃは、擦り切り部４ｂの周縁から斜めに立ち上がる辺を有する三角形状に形成されているが、採便棒２ｂを擦り切り部４ｂに案内できるようになっていれば、その形状は特に限定されない。
採便棒２ｂを擦り切り部４ｂに案内するには、擦り切り部４ｂの周囲をすり鉢状に形成するだけでもよいが、それでは中栓４の底面４ａ側が厚肉になってしまい、成形に要する樹脂量が増えてしまったり、冷却に時間を要して生産速度が遅くなってしまったりする。さらに、冷却時の樹脂の収縮量が大きくなり、寸法安定性の上でも不利となるが、複数の傾斜リブ４ｃを放射状に配置し（図５（ｃ）、図７参照）、隣接する傾斜リブ４ｃの間を肉抜きして採便棒案内部を形成することで、このような不都合を有効に回避することができる。
【００２３】
本実施形態の採便容器１は、種々の検査項目を検査装置によって糞便検査を行なうのに好適であり、採便棒２ｂにより採取された糞便を容器本体３に収容された保存溶液に懸濁させてから、液溜り３ｂが形成された容器本体３の先端側を上向きにして装置内に設置される。そして、検査時に容器本体３をスクイズして保存溶液に糞便を懸濁させた懸濁液をフィルタ５で濾過し、その濾液を液溜まり３ｂに供給して溜めて、検査装置内に取り込むことができるようになっている。
尚、図２に示すように、本実施形態の採便容器にあっては、容器本体３の液溜まり３ｂの底部と上部をフィルム材Ｆ等で封止することができる。これによって、検査に供するまでは容器の密封性を確保しておき、検査に際しては、かかるフィルム材Ｆ等を穿刺することによって、容器内の懸濁液を液溜まり３ｂに供給して溜め、検査に供することができる。フィルム材Ｆは、アルミニウム箔とポリプロピレン，ポリエチレン等の熱可塑性樹脂とを積層したラミネートフィルムを使用するのが好ましく、液溜まり部３ｂに熔着される。また、特に図示しないが、フィルム材Ｆの代わりに容器本体３の先端に螺合、あるいは嵌合する蓋体により密封してもよい。このような蓋体を用いた場合、懸濁液を採取する際には予め蓋体を外しておくか、好ましくは蓋体の中央部を薄肉にしておいて、この薄肉部を穿刺することにより懸濁液を採取する。
【００２４】
採取した糞便を懸濁させる保存溶液としては、糞便検査に適したものであれば任意のものを用いることができ、また、必要に応じて緩衝剤、塩類、安定剤、防腐剤、色素、消臭剤等の添加剤を加えておいてもよい。容器本体３に収容する保存溶液の液量は、糞便検査に際して要求される糞便の懸濁濃度に応じて適宜調整する。例えば、５ｍｇの糞便を採取する場合には液量を２ｍｌとすることにより４００倍の希釈率が得られる。
【００２５】
本実施形態では、容器本体３に装着する中栓４の先端部を前述した構成とすることで、擦り切り部４ｂへの採便棒２ｂの挿通性を損なうことなく、検査時に容器本体３の先端側の液溜り３ｂを上向きにしたときに、前述した図９に示す採便容器のような容器内の懸濁液の液位の低下を抑止することができる。すなわち、中栓４の先端部の底面４ａを長手方向に直交させているため、擦り切り部４ｂの周りには、図９に示す採便容器のような隙間が生じないので、その分だけ液位の低下を防ぐことができる。
【００２６】
このため、容器をスクイズして保存溶液に糞便を懸濁させた懸濁液を液溜まり３ｂに供給したときに、フィルタ５で濾過された十分な量の濾液を液溜まり３ｂに溜まらせることができる。その結果、検査装置によって糞便検査を行なう際に、装置内に取り込まれる濾液の量が不足して検査に支障をきたすという不具合を有効に回避することができる。
【００２７】
また、図１に示す採便容器１にあっては、容器本体３と中栓４の装着は、容器本体３の基端側の開口部の端縁に沿って形成されたフランジ部３ｃと、中栓４の外周面の所定位置の周方向に沿って形成された張り出し部４ｄとを超音波溶着等の適当な手段により溶着することによって行われる。さらに、容器本体３のフランジ部３ｃに、フランジ部３ｃの周縁から部分的に突出する凸部３ｄを形成することにより、採便容器１の転がりを防止すると共に、採便容器１を検査装置に装着する際の位置決めに利用することができる。
なお、図１に示す採便容器１では、容器本体３のフランジ部３ｃの周縁に凸部３ｄを形成しているが、中栓４の張り出し部４ｄの周縁から突出するように同様の凸部を形成してもよく、少なくとも一方に形成すればよい。
【００２８】
以上、本発明について、好ましい実施形態を示して説明したが、本発明は、前述した実施形態にのみ限定されるものではなく、本発明の範囲で種々の変更実施が可能であることは言うまでもない。
【産業上の利用可能性】
【００２９】
以上説明したように、本発明は、糞便検査に際して糞便を採取する採便容器として利用できる。
【符号の説明】
【００３０】
１          採便容器
２          蓋体
２ａ        蓋部
２ｂ        採便棒
３          容器本体
３ａ        フィルタ保持部
３ｂ        液溜まり
３ｃ        フランジ部
３ｄ        突部
４          中栓
４ａ        底面
４ｂ        擦り切り部
４ｃ        傾斜リブ
４ｄ        張り出し部
【図１】
2015029369.tif 000003
【図２】
2015029369.tif 000004
【図３】
2015029369.tif 000005
【図４】
2015029369.tif 000006
【図５】
2015029369.tif 000007
【図６】
2015029369.tif 000008
【図７】
2015029369.tif 000009
【図８】
2015029369.tif 000010
【図９】
2015029369.tif 000011
【国際調査報告】
2015029369.tif 000012
2015029369.tif 000013
2015029369.tif 000014
2015029369.tif 000015